(57)【要約】【課題】  自立型看板へ、電動アシスト自転車のバッテリを円滑に装着することを可能とする。【解決手段】  本願発明は自立型看板であって、収容部７内には、滑り台８と、突当り部９とが設けられ、滑り台７は、出入口３１から収容部７の奥に向けて設けられ且つ出入口３１から収容部７の奥に向け下方に傾斜して伸び、突き当り部９は、滑り台８の奥に設けられ且つ光源に電気を導く回路の電気接点を備え、バッテリとして、下端に電気接点を備え且つ上端に把手を備えた縦長の電動自転車用の充電式バッテリを、出入口３１から滑り台８に沿って斜めに挿入することができ、当該バッテリの下端が、突当り部９へ突き当たることにて、バッテリの電気接点と突当り部９の電気接点とを接続することができ、出入口から前記把手を掴んで収容部７からバッテリを取り出すことができる。【選択図】図１
2015060069.tif 000002
【特許請求の範囲】
【請求項１】
光源と、前記光源の光にて広告等の表示がなされる表示部と、前記光源の電源となる充電式のバッテリを収容することができる収容部と、前記バッテリの出入口とを備えた、地上に置かれる自立型看板であって、
前記収容部内には、滑り台と、突当り部とが設けられ、
前記滑り台は、前記出入口から前記収容部の奥に向けて設けられ、
前記突き当り部は、前記収容部内において前記滑り台の奥に設けられ、
前記滑り台又は前記突き当り部は、前記光源に電気を導く回路の電気接点を収容部側電気接点として備え、
前記バッテリとして縦長の電動自転車用の充電式バッテリを、当該バッテリの下端を先にして、前記出入口から前記滑り台に沿って挿入することができ、当該バッテリの前記下端が、前記突当り部へ突き当たることにて、前記バッテリの電気接点と前記収容部側電気接点とを接続することができる自立型看板。
【請求項２】
前記滑り台は、前記出入口から収容部の奥に向け下方に傾斜して伸びるものであり、
前記電動自転車用の充電式バッテリを、当該バッテリの下端を先にして、前記出入口から前記滑り台に沿って斜めに挿入することができる請求項１記載の自立型看板。
【請求項３】
前記収容部は、前記バッテリとして、上端に把手を備え且つ下端に電気接点を備えたものを収容することができ、
前記前記突き当り部が、前記収容部側電気接点を備え、
前記滑り台は、前記バッテリを載せる傾斜面と、平面視において前記傾斜面を挟んで前記傾斜面の伸びる方向に沿って伸びる少なくとも２本の案内部とを備え、
前記案内部は、前記傾斜面よりも上方に隆起し、前記挿入時前記バッテリの向きを前記突当り部へ向け規制するものであり、
前記傾斜面に沿った前記出入口と前記突当り部の間の距離は、前記バッテリの下端から前記把手上端との間の幅と、ほぼ同じものであり、
前記出入口から前記把手を掴んで前記収容部からバッテリを引き出すことが可能であり、
看板の底部に、看板移動用のキャスタが設けられたことを特徴とする請求項２記載の自立型看板。
【請求項４】
前記表示部が前記光源からの光を透過する透光部をなす内照式看板であって、
基台と、前記基台に立設された少なくとも２枚の側壁部とを備え、
前記光源は、複数のＬＥＤにて構成され、
前記両側壁部同士は、互いに間隔を開けて対向し、
前記基台の上方において前記両側壁部間に前記透光部が配置され、前記両側壁部間において前記基台と前記透光部との間に前記収容部が設けられ、
前記出入口は、前記側壁部の一方に設けられて当該側壁部を貫通する貫通口であり、前記出入口の下縁は前記基台よりも上方に配置され、
前記突当り部は、前記滑り台の終端に前記滑り台と一体に設けられ、
前記滑り台の始端側は、側壁部において前記出入口の下端に固定され、
前記滑り台の前記終端側は前記基台に固定されたことを特徴とする請求項２又は３に記載の自立型看板。
【請求項５】
前記出入口には、前記出入口を開閉することができる蓋体が設けられ、
前記滑り台には、前記傾斜面から前記傾斜面の裏面へ貫通する水抜き孔が設けられたことを特徴とする請求項３記載の自立型看板。
【発明の詳細な説明】
【技術分野】
【０００１】
本願発明は、自立型看板に関する。
【背景技術】
【０００２】
スタンド型看板即ち自立型看板は、一般に店舗の広告や案内のため路上やビルのエントランスにおいて、店頭へ設置して利用される。
この自立型看板は、旧来電気コードを備え、コンセントから看板の広告面を照らす光源への電気の供給を受けるものであった。
しかし電気コードを用いてコンセントから電源を確保する場合、電気コードの届く場所に看板の設置範囲が制限される。また、通行人が電気コードに足を引っ掛けるという危惧がある。
このため、充電式のバッテリを看板に内蔵して光源の点灯時に電気コードの接続を必要としないものが、種々提案されている（特許文献１〜５）。
【０００３】
特許文献１〜５に示された看板では、看板の使用時、上記内臓のバッテリから光源へ電気が供給されて看板を点灯することができる。
このうち特許文献２〜５へ示す自立型看板では、充電器も看板に内蔵するものであり、使用しないときに店内のコンセントへ電気コードにて当該充電器を接続してバッテリの充電を行うものである。
このため、特許文献２〜５へ示す自立型看板では、閉店後、看板全体を店内へ移動させる必要がある。
一方、特許文献１（公報図１〜図４）に示された看板では、看板の使用時バッテリ５は、看板内に収容され、充電時バッテリ５は看板から取り外して、コンセントに繋いだ充電器１８と接続して充電される（公報図４）。即ち、特許文献１に示された看板では、充電時にバッテリ５のみ充電器１８のある場所に持ち運べば良い。
【０００４】
しかし、看板からバッテリのみ取り外して充電を行えると言っても、バッテリ自体重量が大きく取り扱いが不便なものである。
例えば、看板から取り外し充電した後のバッテリを再び、看板内へ押し込もうとすると、看板全体が力の加わった方向へ逃げてバッテリを円滑に収納することができないという危惧がある。
これは、バッテリが重く、バッテリと基台との間の摩擦抵抗が大きいことによる。即ち、質量の大きなバッテリを一旦看板の基台上面へ載せた後、基台上にてバッテリをずらすことにて所定の位置まで移動させようと、バッテリを押圧すると、基台もバッテリと一体に押圧方向へ逃げることがある。勿論、直接基台上面にバッテリを接触させるのではなく、バッテリの設置位置に設けられた漏電防止ケース上にバッテリを配置するものとし（特許文献１の図３の漏電防止ケース９）、当該漏電防止ケースにおけるバッテリの配置面を滑らかなものとすることも考えられる。しかし、若干摩擦抵抗が低減するものの、バッテリの挿入を行い易いものとするための根本的な改善にはなっていない。
地面を転がるキャスタを備えた自立型看板では、特に看板の上記逃げが顕著となり易い。また、上記キャスタは移動の向きも自在に変わるものが一般的であり、看板の上記逃げる方向が定まらない。このようなキャスタにてバッテリの円滑な装着が著しく妨げられる。
キャスタの上記問題を嫌えば、バッテリの装着時、キャスタの輪留めを用いたり、キャスタを浮かせてキャスタの接地を解除するスタンド器具を使用する手間を取らざるを得ない。
【０００５】
最近では、自立型看板にも、光源として旧来の蛍光灯に代えてＬＥＤ（発光ダイオード）を光源とする内照式看板が普及しつつあり、自立型看板も軽量化の傾向にある。
元々バッテリは、看板の他の部分に比して重量が大きいものであり、上記軽量化の傾向は、この重量差に拍車を掛けるものとなっている。
【先行技術文献】
【特許文献】
【０００６】
【特許文献１】特開平９−１１４４０５号公報
【特許文献２】特許第４６８５４８０号公報
【特許文献３】実用新案登録第３１８４４３７号公報
【特許文献４】特開昭６０−２２６７２６号公報
【特許文献５】特開２０００−１０５１３号公報
【発明の概要】
【発明が解決しようとする課題】
【０００７】
このような状況において、本願発明の発明者は、看板から取り外し可能な充電式バッテリの円滑な取り扱いができないか検討した。そして、検討中小型化が進み縦長で取り扱いに便利な、最近の電動アシスト自転車の充電式バッテリに着目した。
この電動アシスト自転車のバッテリは、リチウムイオンの二次電池が一般的であり、電動アシスト自転車の利用者には女性が多いことを考慮して、取り扱い易いように設計されている。
即ち、近年の電動アシスト自転車のバッテリは、自転車のシートパイプに沿って自転車へ取り付けられるものが普及しており、シートパイプの伸びる上下（長手）方向の幅に対し前後方向の幅や左右横方向の幅が小さな縦長のものである。また、電動アシスト自転車のバッテリは、下端に電気接点を備え、上端にハンドル（把手）が設けられたものが一般的である。充電に際しては、バッテリを自転車から取り外し上記把手を持ってバッテリを持ち運び、自転車とは別体の充電器を家庭のコンセントへ繋いで、当該充電器にバッテリを接続して充電を行うことができるのである。
また、電動アシスト用自転車のバッテリを充電することができるバッテリスタンドが自転車販売店や公共機関などに設置されつつあり、充電する環境が拡大する傾向にある。
従って、電動アシスト用自転車のバッテリの看板への利用は、利便性の面でメリットが大きいと言える。
【０００８】
そこで、本願発明は、電動アシスト自転車のバッテリをバッテリとして使用することにて、自立型看板への装着を極めて円滑に行えるものとして上記問題の解決を図る。
【課題を解決するための手段】
【０００９】
本願発明は、光源と、前記光源の光にて広告等の表示がなされる表示部と、前記光源の電源となる充電式のバッテリを収容することができる収容部と、前記バッテリの出入口とを備えた、地上に置かれる自立型看板であって、前記収容部内には、滑り台と、突当り部とが設けられ、前記滑り台は、前記出入口から前記収容部の奥に向けて設けられ、前記突き当り部は、前記収容部内において前記滑り台の奥に設けられ、前記滑り台又は前記突き当り部は、前記光源に電気を導く回路の電気接点を収容部側電気接点として備え、前記バッテリとして縦長の電動自転車用の充電式バッテリを、当該バッテリの下端を先にして、前記出入口から前記滑り台に沿って挿入することができ、当該バッテリの前記下端が、前記突当り部へ突き当たることにて、前記バッテリの電気接点と前記収容部側電気接点とを接続することができる自立型看板を提供出来た。
尚、ここでいう地上には、屋外の地面や路面の他、屋内の床や廊下も含む。
また、ここでいう電動自転車とは、ペダルを漕ぐのを補助する電動アシスト自転車を含む他、バッテリのみで自転車を駆動するものも含む。
また本願発明では、前記滑り台は、前記出入口から収容部の奥に向け下方に傾斜して伸びるものであり、前記電動自転車用の充電式バッテリを、当該バッテリの下端を先にして、前記出入口から前記滑り台に沿って斜めに挿入することができる自立型看板を提供できた。
更に、本願発明では、前記収容部は、前記バッテリとして、上端に把手を備え且つ下端に電気接点を備えたものを収容することができ、前記前記突き当り部が、前記収容部側電気接点を備え、前記滑り台は、前記バッテリを載せる傾斜面と、平面視において前記傾斜面を挟んで前記傾斜面の伸びる方向に沿って伸びる少なくとも２本の案内部とを備え、前記案内部は、前記傾斜面よりも上方に隆起し、前記挿入時前記バッテリの向きを前記突当り部へ向け規制するものであり、前記傾斜面に沿った前記出入口と前記突当り部の間の距離は、前記バッテリの下端から前記把手上端との間の幅と、ほぼ同じものであり、前記出入口から前記把手を掴んで前記収容部からバッテリを引き出すことが可能であり、看板の底部に、看板移動用のキャスタが設けられた自立型看板を提供できた。
また本願発明では、前記表示部が前記光源からの光を透過する透光部をなす内照式看板であって、基台と、前記基台に立設された少なくとも２枚の側壁部とを備え、前記光源は、複数のＬＥＤにて構成され、前記両側壁部同士は、互いに間隔を開けて対向し、前記基台の上方において前記両側壁部間に前記透光部が配置され、前記両側壁部間において前記基台と前記透光部との間に前記収容部が設けられ、前記出入口は、前記側壁部の一方に設けられて当該側壁部を貫通する貫通口であり、前記出入口の下縁は前記基台よりも上方に配置され、前記突当り部は、前記滑り台の終端に前記滑り台と一体に設けられ、前記滑り台の始端側は、側壁部において前記出入口の下端に固定され、前記滑り台の前記終端側は前記基台に固定された自立型看板を提供できた。
更にまた本願発明では、前記出入口には、前記出入口を開閉することができる蓋体が設けられ、前記滑り台には、前記傾斜面から前記傾斜面の裏面へ貫通する水抜き孔が設けられた自立型看板を提供できた。
【発明の効果】
【００１０】
本願発明は、電動自転車の充電型のバッテリを利用して、光源に電源を供給することができる。特に滑り台にて、円滑に看板へバッテリを挿入でき、簡単にバッテリの電気的な接続を行うことができる。
特に滑り台を前記出入口から収容部の奥に向け下方に傾斜して伸びるものとすることによって、図４（Ｂ）へ破線矢印で示す通り、滑り台へバッテリを乗せると、当該傾斜によってバッテリの質量の一部がバッテリと相対的に滑り台を当該手前側へ引き寄せる力に転換される。この転換された一部の力は、滑り台が取り付けられている看板を、作業者から逃げる方向と逆の方向即ち作業者側へ手繰り寄せる方向に作用しても、看板を作業者から逃げる方向へは作用しない。従って、転換された当該一部の力は、押し込み方向とは逆方向へ働き、逃げる看板を止める力として働く。
このため本願発明では、特許文献１のように、看板が、バッテリの押し込み方向即ちバッテリの挿入方向へ、差し込み途中のバッテリと一体に逃げるという事態を抑えることができる。特に、本願発明によって、移動しやすいキャスタを備えた看板において当該事態を抑制できた。
言い換えると、傾斜させた滑り台は、単にバッテリの挿入方向への滑りを良くするだけでなく、バッテリの荷重の一部を看板の引き戻し方向の力に転換する、看板の引戻し力作用部である。
また、上記滑り台を、看板の屋台骨である側壁面と基台とに斜めに掛け渡して固定することによって、上記滑り台に乗せられるバッテリの重量に耐える安定したものとすることができる。
【図面の簡単な説明】
【００１１】
【図１】（Ａ）は本願発明の一実施の形態に係る自立型看板においてバッテリを外して内部を透視した状態の正面図、（Ｂ）は（Ａ）のＸ−Ｘ端面図。
【図２】図１（Ａ）に示す自立型看板の側面図。
【図３】（Ａ）は図１（Ａ）の看板が備えるホルダの正面図、（Ｂ）は当該ホルダの右側面図、（Ｃ）は当該ホルダの平面図、（Ｄ）は当該ホルダの底面図。
【図４】（Ａ）は図１（Ａ）の看板へのバッテリの装着開始の状態を示す一部切欠要部正面図、（Ｂ）は図１（Ａ）の看板へのバッテリの装着途中の状態を示す一部切欠要部正面図。
【図５】図１（Ａ）に示す看板へバッテリを装着した後の状態を示す一部切欠要部拡大正面図。
【発明を実施するための形態】
【００１２】
以下、図面に基づき本願発明の実施の形態を説明する。
【００１３】
（看板の基本構成）
図１及び図２へ示す通り、この自立型看板１は、建物と独立し地上に置かれて使用される、内照式看板である。この自立型看板１は、基台２と、２枚の側壁部３と、天板部４と、光源５と、表示部６と、バッテリｍの収容部７とを備える。収容部７内には、滑り台８と、突当り部９とが設けられている。
使用するバッテリｍは、下端に電気接点ｍ１を備え且つ上端に把手ｍ２を備えた縦長の電動自転車用の充電式バッテリである（図４、図５）。
以下、各部の構成について詳述する。
【００１４】
（基台２）
基台２は、看板の他の部分を支持する基盤であり、金属製の板状体である。基台２は、この例では、図２へ示す通り、金属製の薄板にて形成された中空の扁平な箱状体である。この例では、基台２は平面視において矩形を呈する。
また、基台２の底面にはキャスタ２１が設けられている。キャスタ２１にて看板を接地したまま容易に移動させることができる。この例では、キャスタ２１は、基台２の前端寄りに左右２つ設けられ後端寄りに左右２つ設けられ、合計４つ設けられている。但し、このようなキャスタ２１の数や配置は例示であり変更可能である。キャスタ２１は自在に方向転換できる。
【００１５】
（側壁部３）
２枚の側壁部３は、基台に立設された金属板である。両側部３は、図１（Ａ）へ示す通り、互いの間隔を開けて対向する。
図２へ示す通り、各側壁部３は、側面視において、略矩形を呈する。この例の各側壁部３は、底辺が上辺よりも大きな台形を呈する。
また、この例では、側壁部３をボルト・ナットにて基台２へ固定している。但し、ボルト・ナット以外の周知の固定手段を用いて、側壁部３を基台２へ固定するものとしても実施できる。例えば、ネジやピンといったボルト以外の固定具や溶接によって基台２へ側壁部３を固定することができる。この例では、固定をより確実に行うため、上記ボルト・ナットを更に溶接にて固着している。
【００１６】
図１（Ａ）及び図２へ示す通り、上記側壁部３の一方には、収容部７へ通じるバッテリｍの出入口３１と、当該出入口３１を開閉する蓋体３２と、光源５へバッテリｍの電気を供給する回路（図示しない。）を開閉するスイッチ３３とが設けられている。
出入口３１の下端は、基台２の上面より上方に設けられている。出入口３１の下端は、基台２の上面より５〜１０ｃｍ高い位置に設けるのが好ましい。この例では、出入口３１の下端は、基台２の上面より約７ｃｍ高い位置に設けられている。
出入口３１の上端及び横幅は、少なくとも立てた状態の縦長のバッテリｍの前後及び左右横幅よりも大きいものとする。特に、出入口３１は、バッテリｍを斜め横にして無理なく挿入できる大きさとする。この例では、出入口３１の上端は、出入口３１の下端よりも約１５ｃｍ高い位置に設けられている。
但しこのような寸法は、バッテリｍの寸法及び後述する滑り台８の傾斜角度に対応して変更可能であり、上記に限定するものではない。
蓋体３２は、周知の錠を備え、施錠できるものとするのが好ましい。また蓋体３２には、図２へ示す通り、上部寄りに表裏貫通する水抜き穴３４が設けられている。図４へ示す通り、蓋体３２を開いた際に、蓋体３２へ付着した雨水を水抜き穴３４から下方へ排出することができる。この他蓋体３２の下部にも水抜き穴３５（図１（Ａ））を設けて、蓋体３４を図４へ示す状態から起こした際に付着した雨水を排出できるようにするのが好ましい。
【００１７】
（天板部４）
図１（Ａ）へ示す通り、天板部４は、両側壁部３の上端間に渡され、両側壁部３の上端に固定された金属板である。
尚、各側壁部３と天板部４の夫々には、１枚の金属板にて形成する他、当該金属板表面にプラスチック板が重ねられたものを採用することができる。
【００１８】
（光源５）
光源５は、複数のＬＥＤ５１にて構成されている。当該ＬＥＤ５１としては高輝度ＬＥＤを採用することができる。
複数のＬＥＤ５１は、アルミニウム製の放熱板５２に取り付けて、看板内に配置されている。放熱板５２は、両側壁部３，３において、天板部４や両側壁部３へ直接或いは側壁部３に取り付けられた桟（図示しない。）へ固定されている。
尚、上記のＬＥＤ５１として、高輝度ＬＥＤ以外のＬＥＤを採用して実施するのを限定するものではない。
また、光源５には、蛍光灯や電球、ＥＬといった、ＬＥＤ以外の他のものを採用することができる。
【００１９】
（表示部６）
表示部６は、上記の光源４に照らされて広告や案内を表示する。即ち、表示部６は、上記ＬＥＤ５１が発する光を、看板の外部へ拡散しながら透過することにより、上記の広告や案内を表示する透過部である。
表示部６は、両側壁部３間において、天板部４の下方へ天板部４と隣接するように両側壁部３に保持されている。この例では、表示部６は、看板の前面側と背面側の双方に設けられて、光源５の前方と後方とを覆う。
表示部６は、この実施の形態において、面板と呼ばれる、樹脂性の乳白色の板にて構成される。面板は半透明であり、光を拡散して看板の外部へ透過する。
表示部６は、内照式看板の表示部として周知の素材にて形成することができる。  特に、面板は、アクリル板を採用することができる。表示部６において、広告等の文字や図案が表示された表示層と、光を散乱させる乳半層とを、別々のシート及び板状体として構成するものとしても、一体に形成されるものとしても何れでもよい。表示部６については、アクリル乳半（乳半色のアクリル板）で形成する他、ポリカーボネート、塩化ビニル、ＰＥＴにて形成することも可能である。
【００２０】
（収容部７）
収容部７は、両側壁部３間において、光源５の下方に設けられた空間である。具体的には、光源５の下方において、両表示部６の下方に配置された前後の被覆部７０と、両側壁部３と、基台２上面とに囲まれた空間である（図１（Ａ）（Ｂ））。
被覆部７０は、遮光性を有する部材にて形成される。被覆部７０は、プラスチック又は金属製の板を用いることができ、金属板をポリカーボネートなどのプラスチックにて被覆したものを用いることもできる。
収容部７内の出入口３１付近において、出入口３１上端よりも若干下方に規制部（図示しない。）を設ける。規制部は、バッテリｍの長手方向を水平にして出入口３１から挿入しようとすると邪魔をしバッテリｍの挿入を許さず、バッテリｍの先端を斜め下に向けた際に挿入を可能とするものである。規制部は、収容部７内に桟をかけ渡すことによって形成してもよく、或いは光源５を収容している看板上方の空間と上記収容部７との間に間仕切りを設けて、当該間仕切りを上記規制部としても実施できる。
【００２１】
（滑り台８）
滑り台８は、出入口３１から収容部７の奥に向けて設けられており、滑り台８は、図１（Ｂ）へ示す通り、出入口３１を始点として当該出入口３１側から収容部７の奥に向け下方に傾斜して伸びる。
具体的には、図１（Ｂ）、図３（Ａ）〜（Ｄ）及び図５へ示す通り、滑り台８は、バッテリｍを乗せる傾斜部８１と、傾斜部８１の伸びる方向に沿って伸びる２本の案内部８２と、ポケット部８３とを備える。
傾斜部８１は金属製の薄板である。傾斜部８１の上面が、バッテリｍを乗せて収容部ｍの奥に当該バッテリｍを導く、傾斜面である。当該傾斜面は、平滑な面である。
但し、滑り台８は、バッテリｍが自重のみで滑り下りる程上記傾斜面を平滑なものとする必要はなく、作業者が把手ｍ２を持って円滑に押し込むことができればよい。勿論、バッテリｍや突当り部９を衝撃で傷めない範囲において、バッテリｍが自重のみで、上記傾斜面を滑り下りることができるものとしても実施できる。
図３（Ａ）において傾斜部８１の左端即ち上記始点側には、傾斜部８１の上記薄板を下方に折り返すことによって形成された固定用片８５が設けられている。
傾斜部８１には、上面から下面へ貫通する水抜き孔８４が、図３（Ｄ）の傾斜部８１の左端寄りに即ち後述の終端部８３ａ寄りに設けられている。
【００２２】
案内部８２は、上記傾斜面よりも上方に突出するものであり、バッテリ挿入時にバッテリの向きを突当り部へ向け規制する金属製の薄板である。この例では、傾斜部８１と案内部８２は、１枚の金属板を樋状に断面視コ字状に形成することによって、一体に形成されている。但し、傾斜部８１と案内部８２とは、別々の部材にて形成され、ボルト・ナットなどの固定具や溶接にて一体に固定されるものとしても実施できる。
また、案内部８２は１つだけ設けるものとし、案内部８２を設けていない傾斜部８１の辺は、収容部７の上記被覆部７０の内側面に近接するものとし、当該内側面を設けられない案内部８２の代用としてもよい。
【００２３】
ポケット部８３は、夫々金属板にて形成された、図３（Ａ）へ示す傾斜部８１の右端から上方に伸びる終端部８３ａと、終端部８３ａの上端から図３（Ａ）の左側に伸びる天面部８３ｂと、２枚の覆い部８３ｃとからなる。各覆い部８３ｃは、天面部８３ｂと案内部８２との間を覆う。ポケット部８３は、傾斜部８１や案内部８２と一体に形成される。但し、ポケット部８３の各部は、傾斜部８１と案内部８２と別体に形成され、溶接やボルト・ナットなどの固定具にて、傾斜部８１或いは案内部８２へ固定されるものとしても実施できる。更には、バッテリｍの円滑な挿入ができれば、ポケット部８３は、傾斜部８１や案内部８２と別体のまま、基台２に固定されるものとしても実施できる。
図３（Ｂ）の８３ｄは、突当り部９を取り付ける、取付け部を示している。
【００２４】
図５へ示す通り、固定用片８５は、側壁部３の内側面に固定される。より詳しくは、固定用片８５は、側壁部３の上記出入口３１の下端に固定される。
当該固定は、ボルト・ナットにて行う。但し、当該固定は、ネジなどの他の固定具や溶接といった他の固定手段にて行うことも可能である。この例では、上記ボルト・ナットを溶接することにて固着を強化している。
傾斜部８１の上記終端部８３ａ側の端部は、ボルト・ナットにて、基台２に固定されている。この固定についても、ネジなどの他の固定具や溶接といった他の固定手段にて行うことも可能であり、ボルト・ナットを溶接しておくのが望ましい。
滑り台８の傾斜部８１の長さｂ（図３（Ａ））、より正確には、傾斜部８１の傾斜面に沿った出入口３１と突当り部９のと間の距離は、バッテリｍの下端即ち電気接点ｍ１から把手ｍ２上端との間の幅と、同じか若干大きいものとする。
【００２５】
滑り台８は、基台２上面との挟み角φ即ち水平面（仮想面）に対する傾斜部８１のなす角度を、０〜６０度とし、固定用片８５と傾斜部８１の挟み角θを、３０度〜９０度とするのが望ましい。
特に滑り台８を傾斜させる場合、図５へ示す傾斜部８１の傾斜面と基台２上面との上記挟み角φが、１０〜６０度となるよう傾斜させるのが好ましく、固定用片８５と傾斜部８１の挟み角θは、３０度〜８０度とするのが望ましい。この角度は、バッテリｍに対応する傾斜部８１の傾斜方向の長さを考慮する必要がある。
バッテリｍを２．３ｋｇとし、当該バッテリｍを含めた看板の全重量を２７ｋｇとし、収容部７の左右の横幅ａを約４６ｃｍ（図４（Ａ））とした場合、固定用片８５と傾斜部８１の挟み角θを７０度として、傾斜部８１と基台２上面との挟み角φを２０度とすると、バッテリの看板への装着が極めて円滑に行えた。
使用する電動アシスト自転車用のバッテリｍの仕様については、特に制限はないが、上記において使用したバッテリｍの仕様について例示すると、電池種別はリチウムイオン、１台のバッテリｍが内包する電池構成は７直列５並列、電池容量は９．５Ａｈ、出力電圧２５．２Ｖ、電力量２３９Ｗｈ、標準充電電流２Ａ、充電電圧２９．１Ｖ、放電終止電圧２１Ｖ、電池寸法（縦長さ×幅×厚み）２１１ｍｍ×８０ｍｍ×１１８ｍｍ、電池質量２３００ｇである。
【００２６】
（突当り部９）
突き当り部９は、収容部７内において滑り台８の奥に設けられている。この例では、突当り部９は、滑り台８の終端部８３ａに設けられたプラグである。
この例では、突当り部９は、バッテリｍの先端を受ける当接部と、光源５に電気を導く上記回路の電気接点即ち収容部側電気接点とを兼ねている。但し、当該電気接点とバッテリｍの先端へ物理的に当する当接部とを別々に設けるものとし、当該電気接点にバッテリｍの荷重や差込の押圧力が掛かるのを抑制するものとしてもよい。
【００２７】
（バッテリｍの取付け）
図４（Ａ）（Ｂ）へ示す通り、出入口３１の蓋体３２を開いて、縦長の上記バッテリｍの下端を先にして、バッテリｍを出入口３１から滑り台８の傾斜部８１上面に沿って斜めに挿入して行く。そして、バッテリｍの下端が、ポケット部８３内に入り、突当り部９へ突き当たることにて、バッテリｍの電気接点ｍ１と突当り部９とを物理的・電気的に接続することができる。
上記のポケット部８３によって、バッテリｍのガイドが確実に行え、バッテリｍが滑り台８から脱落するのを防止することができる。
バッテリｍ装着後、蓋体３２を閉じて施錠する。そして、スイッチ３３の操作にて、回路を閉じ、光源５を点灯することができる。光源５の点灯・消灯はタイマ（図示しない。）にて行えるものとしてもよい。
バッテリｍの取り外しは、蓋体３２を開いて出入口３１から把手ｍ２を掴んでバッテリｍを引き出せばよい。
【００２８】
（補足）
図４（Ｂ）において図面の煩雑を避けるため、バッテリｍに掛る重量方向と、前述の引き戻し方向の力のみを示し、この他の力を示す仮想線を省略した。ここで詳しく説明すると、バッテリｍに掛る重力は、傾斜部８１の傾斜面に沿って斜め下方向に向く力と、傾斜部８１の傾斜面からバッテリｍが受ける垂直抗力と逆向きの力（傾斜面を押さえ付ける力）とに分解して考えることができる。バッテリｍに掛る分力のうち上記垂直抗力と逆向きの力が、上記引き戻し方向の成分を持っているのである。
【００２９】
（変更例）
上記の実施の形態において、滑り台８と突当り部９とは、一体に形成されるものとしたが、別々に形成されて収容部内に別々に取り付けられるものとしてもよい。
滑り台８は、両案内部間の傾斜部の上面にバッテリを乗せるものとした。この他、出入口から収容部の奥に向け下方に傾斜する辺である両案内部の上辺を、バッテリｍと当接してバッテリｍを支持する上記傾斜面とし、上記傾斜部の上面はバッテリｍと直接当接しないものとしても実施できる。
バッテリｍには、図示した把手ｍ２をバッテリｍ上端に備えるものの他、把手ｍ２をバッテリｍ側部に備えるものを用いることも可能である。この場合バッテリｍ側部の上記傾斜部８１と反対側に把手ｍ２を向けてバッテリｍを収容部７へ挿入すればよい。また、バッテリｍは、電気接点ｍ１を、バッテリｍ下端以外の部分例えばバッテリｍの側部に備えるものであってもよい。バッテリｍの電気接点ｍ１の位置によって、収容部側電気接点の位置も、突当り部９ではなく、傾斜部８１や案内部８２或いはポケット部８３の突当たり部９以外の位置に設けて実施すればよい。また、バッテリｍは、電気接点ｍ１をバッテリｍ下端に備える場合も、終端部８３ａの突当り部９以外の部位に収容部側電気接点を設けて実施することもできる。
またバッテリｍには、ディープサイクル・バッテリを採用するが望ましい。但し、自転車の走行中に放電と充電の双方が行えるスターター・バッテリの使用を制限するものではない。
上記の水抜き孔８３ａは、終端部８３ａへ設けるものとしても実施できる。
また、滑り台８はバッテリｍを乗せ且つ蓋体３２の開放に連動して手前に引き出されるスライド部を備えるものとし、バッテリｍ挿入時、当該スライド部（図示しない。）をスライドさせて出入口３１から引き出してバッテリｍを乗せ、スライド部を上記傾斜面上にバッテリｍと共に押し戻すことにてバッテリｍを挿入するものとしても実施できる。この場合、スライド部についてバッテリｍを収容する箱状の引き出しとして形成することも可能である。上記スライド部を上記引き出しとする場合、蓋体３２を設けずに実施することもできる。
上記の実施の形態では、看板の正面と背面の両面に広告の表示部を備えた両面看板を例示したが、一方の面のみ広告の表示部を備える片面看板であっても実施できる。
上記の実施の形態では平面視において、看板は矩形を呈するものとしたが、三角形や五角形以上の多角形としても或いは円形を呈するものとしてもよく、直線と曲線が複合した形状としても実施できる。
上記の実施の形態において、自立型看板は、内照式看板としたが、広告等の表示に光源の光を反射させる反射式の看板としても実施可能である。またこの自立型看板は、ネオンサインを用いたものであっても実施できる。更に、この自立型看板は、複数のＬＥＤや電球がマトリックス状に配置されてダイナミック点灯やスタティック点灯を行うことにて情報の表示を行うマトリックス表示装置であっても、或いは表示が映像として映し出されるデジタルサイネージ（電子看板）であっても実施できる。
【符号の説明】
【００３０】
１    自立型看板
２    基台
３    側壁部
４    天板部
５    光源
６    表示部
７    収容部
８    滑り台
９    突当り部
２１    キャスタ
３１    出入口
３２    蓋体
３３    スイッチ
５１    ＬＥＤ
５２    放熱板
７０    被覆部
８１    傾斜部
８２    案内部
８３    ポケット部
８３ａ  終端部
８３ｂ  天面部
８３ｃ  覆い部
８４    水抜き孔
８５    取付け用片
【図１】
2015060069.tif 000003
【図２】
2015060069.tif 000004
【図３】
2015060069.tif 000005
【図４】
2015060069.tif 000006
【図５】
2015060069.tif 000007